(57)【要約】【課題】本発明は、常時には不意のロック解除を抑制し、非常時には容易なロック解除を可能とする避難装置の提供。【解決手段】スラブに固定され、上方及び下方に向かって開口する枠と、前記枠内に収納される梯子と、前記枠に回動自在に取り付けられ、前記枠の上面側の開口を覆う上蓋と、前記枠に回動自在に取り付けられ、前記枠の下面側の開口を覆う下蓋と、前記上蓋が開くことを防止するロック機構と、を備え、前記ロック機構は、前記枠の内周面に取り付けられ、上記上蓋に向かう方向にスライドし、先端にフックを有するレバーと、前記上蓋の内面に取り付けられ、前記フックと係脱自在に係合し、前記フックとの係合を解除する方向に所定の範囲だけ揺動する環状部材と、を含むことを特徴とする避難装置。【選択図】図５
2020025749.tif 000002
【特許請求の範囲】
【請求項１】
上方及び下方に向かって開口する枠と、
前記枠内に収納される梯子と、
前記枠に回動自在に取り付けられ、前記枠の上面側の開口を覆う上蓋と、
前記枠に回動自在に取り付けられ、前記枠の下面側の開口を覆う下蓋と、
前記上蓋が開くことを防止するロック機構と、を備え、
前記ロック機構は、
前記枠の内周面に取り付けられ、上記上蓋に向かう方向にスライドし、先端にフックを有するレバーと、
前記上蓋の内面に取り付けられ、前記フックと係脱自在に係合し、前記フックとの係合を解除するように揺動する環状部材と、
を含むことを特徴とする避難装置。
【請求項２】
前記レバーは、前記レバーの取付面に向かう方向に揺動すること、
を特徴とする請求項１に記載の避難装置。
【請求項３】
前記環状部材は、前記上蓋に近付く方向にスライドすること、
を特徴とする請求項１又は２に記載の避難装置。
【発明の詳細な説明】
【技術分野】
【０００１】
本発明は、避難装置に関し、特にロック機構を備えた避難装置に関する。
【背景技術】
【０００２】
集合住宅のベランダ等のスラブには避難装置が備えられている。この避難装置は、枠と、その枠内に収納される梯子と、枠の上面側及び下面側の開口をそれぞれ覆う上蓋及び下蓋と、を含み、更にロック機構を有する。かかるロック機構は、子供のいたずら等により上蓋が不意に開くことを防止するために設けられるものであり、枠の内面に取り付けられるロック部材と、上蓋の裏面に固定されてロック部材に係脱可能なフック部材と、からなる（例えば特許文献１）。
【先行技術文献】
【特許文献】
【０００３】
【特許文献１】特許第５０６２９０２号公報
【発明の概要】
【発明が解決しようとする課題】
【０００４】
ところで、避難装置は、火災などの非常時に使用される。また、避難装置のユーザは、必ずしも避難装置の取扱いに習熟しているわけではない。したがって、ユーザに複雑なロック解除操作を強いるべきではない。つまり、避難装置のロック機構の性能として、常時には不意のロック解除を抑制し、非常時には容易なロック解除を可能とするという、相反する要求の両立が求められる。
【０００５】
この点、特許文献１では、ロック部材のみの操作でロックを解除しており、解除操作の容易性に問題がある。したがって、避難装置のロック機構にはなお改善の余地がある。
【０００６】
そこで、本発明は、常時には不意のロック解除を抑制し、非常時には容易なロック解除を可能とする避難装置を提供することを目的とする。
【課題を解決するための手段】
【０００７】
上述した課題を解決すべく、本発明は、上方及び下方に向かって開口する枠と、前記枠内に収納される梯子と、前記枠に回動自在に取り付けられ、前記枠の上面側の開口を覆う上蓋と、前記枠に回動自在に取り付けられ、前記枠の下面側の開口を覆う下蓋と、前記上蓋が開くことを防止するロック機構と、を備え、前記ロック機構は、前記枠の内周面に取り付けられ、上記上蓋に向かう方向にスライドし、先端にフックを有するレバーと、前記上蓋の内面に取り付けられ、前記フックと係脱自在に係合し、前記フックとの係合を解除するように揺動する環状部材と、を含むことを特徴とする避難装置を提供する。
【０００８】
上記のような構成を有する本発明の避難装置では、前記レバーは、前記レバーの取付面に向かう方向に揺動すること、が好ましい。
【０００９】
上記のような構成を有する本発明の避難装置では、前記環状部材は、前記上蓋に近付く方向にスライドすること、が好ましい。
【発明の効果】
【００１０】
本発明によれば、常時には不意のロック解除を抑制し、非常時には容易なロック解除を可能とする避難装置を提供することができる。
【図面の簡単な説明】
【００１１】
【図１】本発明の実施形態に係る避難装置１の概略を示す部分断面上面図である。
【図２】梯子を省略した、図１のＡ−Ａ線断面図である。
【図３】上蓋５及び下蓋６が開いた状態の避難装置１を示す断面図である。
【図４】ロック状態のロック機構７の側面図及び正面図である。
【図５】上蓋５が持ち上げられた状態のロック機構７の側面図及び正面図である。
【図６】解除状態のロック機構７の側面図及び正面図である。
【図７】解除状態から上蓋５が下がり、環状部材７２がレバー７１に接触した状態を示す、ロック機構７の側面図である。
【図８】上蓋５が図７の位置から更に下がり、環状部材７２及びレバー７１がそれぞれ揺動した状態を示す、ロック機構７の側面図である。
【図９】上蓋５が図８の位置から更に下がり、レバー７１（フック７４）の先端が環状部材７２に入り込もうとする様子を示す、ロック機構７の側面図である。
【発明を実施するための形態】
【００１２】
以下、本発明の代表的な実施形態に係る避難装置を、図面を参照しつつ詳細に説明する。ただし、本発明はこれら図面に限定されるものではない。また、図面は、本発明を概念的に説明するためのものであるから、理解容易のために、必要に応じて寸法、比又は数を誇張又は簡略化して表している場合もある。
【００１３】
以下の説明では、便宜上、次のように座標を定めるものとする。つまり、Ｚ軸の正方向を鉛直上向きに取り、Ｘ軸方向を、Ｚ軸に直交しかつ上蓋の自由端から固定端に向かう方向に取る。そして、Ｙ軸方向をＸ軸及びＺ軸に直交する方向に取る。したがって、上とはＺ軸の正側を指し、下とはＺ軸の負側を指す。
【００１４】
まず本発明の実施形態に係る避難装置の構成を説明する。
本実施形態に係る避難装置１は、例えば集合住宅のベランダやバルコニーなどのスラブに設置され、火災などの非常時に折り畳み式の梯子３を階下に伸長させる。避難装置１は、全体として箱型を呈しており、図１に示すように、枠２、梯子３、連結機構４、上蓋５、下蓋６及びロック機構７を含んで構成されている。
【００１５】
枠２は、梯子３、連結機構４及びロック機構７を収納する金属部材である。枠２は、互いに対向する２組の周壁から構成され、上方及び下方に向かって開口している。
【００１６】
梯子３は、枠２内に折り畳まれた状態で収納され、上蓋５及び下蓋６が開かれると階下に向かって伸長する。
【００１７】
上蓋５は、枠２の上側の開口を覆う金属製の板部材であり、図１に示すように、ヒンジ５５を介して回動自在に枠２に取り付けられている。したがって、上蓋５は、図２及び図３に示すように、回動動作の起点となる回動端５１と、回動端５１の反対側に位置する自由端５２と、を含む。
【００１８】
下蓋６は、枠２の下側の開口を覆う金属製の板部材であり、回動自在に枠２に取り付けられている。そして、連結機構４は、図２及び図３に示すように、上蓋５を下蓋６と連結し、上蓋５の開閉動作と連動して下蓋６を開閉させる。
【００１９】
ロック機構７は、上蓋５が不意に開くことを防止する部材であり、例えばステンレス鋼のような金属材料で作製される。かかるロック機構７は、枠２に取り付けられるレバー７１と、上蓋５に取り付けられる環状部材７２と、を含む。かかるレバー７１及び環状部材７２はいずれも可動部品である。
【００２０】
以下、ロック機構７について詳細に説明する。
レバー７１は、環状部材７２と係合するように、枠２の内周面において環状部材７２に対応する位置に取り付けられている。本実施形態では、レバー７１は、図４（Ａ）に示すように、上蓋５の自由端５２に対応する枠２の周壁２Ａ（以下、取付面２Ａということがある）に配置されている。
【００２１】
レバー７１は、ほぼ一定の幅（Ｘ軸方向の長さ）及びほぼ一定の厚み（Ｙ軸方向の長さ）を持つ金属片であり、上端に、環状部材７２と係合するフック７４を有する。フック７４は、レバー７１の取付面２Ａから離れる方向（Ｘ軸の正方向）に傾斜する傾斜部７４Ａを有している。
【００２２】
レバー７１は、図４（Ａ）に示すように、長手方向（Ｚ軸方向）に延びる孔７３を有し、この孔７３に、基部７５に取り付けられた軸７６が挿通される。ここで、基部７５は、レバー７１の取付面２Ａから突出し、先端においてレバー７１側に屈曲する板片である。したがって、レバー７１は、軸７６と孔７３とが係合した状態で、上蓋５に向かう方向Ｐにスライドすることになる。
【００２３】
また、レバー７１は、軸７６を中心として揺動する。つまり、レバー７１の上端側が取付面２Ａに近づく方向に揺動する。ただし、レバー７１の揺動範囲は制限されており、レバー７１と環状部材７２との係合及び解除を容易にしている。
【００２４】
具体的には、レバー７１は、例えば図５（Ａ）及び（Ｂ）のように上蓋５とともに持ち上げられて枠２に対してスライドした位置にある場合には、フック７４と環状部材７２との係合を解除する方向（図５（Ａ）のＲ方向）に所定の範囲だけ揺動することができる。これにより、レバー７１と環状部材７２との解除が容易になる。ここで、所定の範囲とは、例えば、レバー７１が取付面２Ａに接触するまでの範囲である。
【００２５】
また、例えば図６（Ａ）及び（Ｂ）のようにロックが解除されて、環状部材７２がレバー７１の上方に位置する場合には、下降してきた環状部材７２がフック７４の傾斜部７４Ａに確実に接触するように、レバー７１の揺動範囲が制限されている。
【００２６】
そして、例えば図７及び図８のように環状部材７２がフック７４の傾斜部７４Ａに接触している場合には、レバー７１は、環状部材７２の下降とともに、フック７４と環状部材７２とが互いに遠ざかる方向（図８のＶ１方向）に所定の範囲だけ揺動することができる。これにより、レバー７１と環状部材７２との間の係合状態への復帰が迅速かつ容易になる。
【００２７】
次いで環状部材７２について説明すると、環状部材７２は、フック７４と係合するリング状の金属部材である。本実施形態では、環状部材７２とフック７４との係合の一形態として環状部材７２がフック７４に引っ掛かることを想定している。また、環状部材７２の形状として円状を想定しているが、環状部材７２は、フック７４と係合する限り、例えば楕円状、矩形状、逆三角形状などの様々な形状を取ることができる。
【００２８】
環状部材７２は、上蓋５の内面においてレバー７１に対応する位置に取り付けられている。本実施形態では、環状部材７２は、図４（Ａ）に示すように、上蓋５の自由端５２側の内面に保持部７７を介して取り付けられている。追って述べるように環状部材７２の揺動範囲が制限されていることと、上述したようにレバー７１の揺動範囲が制限されていることとも相俟って、上蓋５が開いた状態から閉じた状態に移行する際には、例えば図７のように、環状部材７２がレバー７１のフック７４に接触することになる。
【００２９】
ここで、保持部７７は、ほぼ一定の間隔（Ｘ軸方向の間隔）で向かい合うとともに下端において互いに連結する一対の板片を含む。保持部７７は、例えば、一定の幅及び厚みを有する金属材料を折り曲げることで作製することができる。
【００３０】
保持部７７内に、環状部材７２が保持される。保持部７７内に形成される隙間は、環状部材７２の断面における直径よりもやや大きい。したがって、環状部材７２は、図４（Ａ）に示すように、保持部７７内を上蓋５に近付く方向Ｑにスライドすることができる。
【００３１】
環状部材７２の揺動に伴って、保持部７７の内面は、環状部材７２の上端部から押圧され、外側に膨らむように弾性変形する。このときに生ずる復元力により、環状部材７２の上端部は保持部７７の内側に向かって押し戻される。かかる復元力は、環状部材７２の揺動の程度とともに増大するため、環状部材７２の揺動は一定の範囲に制限されることになる。つまり、環状部材７２は、フック７１との係合を解除する方向に所定の範囲だけ揺動することができる。
【００３２】
ここで、環状部材７２の寸法の一例を挙げる。環状部材７２がステンレス鋼で作製される場合、必要な強度を得る観点から、環状部材７２は３ｍｍ以上の断面直径を有するとよく、コストの観点からは５ｍｍ以下の断面直径であるとよい。また、環状部材７２の直径（内径）は、操作の容易性の観点から、３５ｍｍ以上であるとよく、コストの観点からは５０ｍｍ以下であるとよい。
【００３３】
保持部７７の寸法の一例を挙げると、保持部７７がステンレス鋼で作製される場合、かつ、環状部材７２が４０ｍｍの直径（内径）を有する場合、十分な復元力を得る観点から、保持部７７は３０ｍｍ以上の幅を有するとよい。また、保持部７７は、環状部材７２を保持するため、環状部材７２の直径（内径）よりも小さい幅である必要があり、特に３８ｍｍ以下の幅であることが望ましい。換言すれば、保持部７７の幅は、環状部材７２の内径の約７５％〜約９５％の範囲であることが好ましい。
【００３４】
次に、避難装置１の動作について、ロック機構７の動作を中心に説明する。
通常、避難装置１は、図２に示すように、上蓋５及び下蓋６が閉じた状態にある。この状態では、ロック機構７は、図４（Ａ）に示すように、レバー７１（フック７４）と環状部材７２とが係合しているか、係合し得る状態にある。
【００３５】
図５（Ａ）のように上蓋５の自由端５２が持ち上げられると、環状部材７２の上昇に伴ってレバー７１が上方にスライドする。そして、レバー７１が、スライド可能な上限位置に達すると、レバー７１と環状部材７２とが係合しているため、上蓋５の更なる引き上げは規制される。これにより上蓋５が不意に開くことを確実に防止することができる。
【００３６】
ここで、レバー７１がスライド可能な上限位置に達する前に、ユーザが枠２と上蓋５との間に手を入れ、後述の解除操作を行うことで、はじめてロック機構７が解除される。つまり、ユーザが環状部材７２を図５（Ａ）のＳ方向に揺動させると、レバー７１（フック７４）と環状部材７２との係合が解除され、図６（Ａ）及び（Ｂ）に示すように、上蓋５を更に開くことが可能となる。あるいは、ユーザは、レバー７１（フック７４）を図５（Ａ）のＲ方向に揺動させることによっても、レバー７１と環状部材７２との係合を解除することができる。そして、上蓋５を更に開くと、図３に示すように、連結機構４の作用により下蓋６が開く。
【００３７】
このように、レバー７１と環状部材７２との両方が可動部材であることで、ユーザは、これら部材に触れたときの感触で、これら部材を操作すればよいことを、直感的にかつ容易に理解できる。しかも、レバー７１及び環状部材７２のうち少なくとも一方を操作することでロックを解除できるため、緊急時の混乱した状況下でも素早くロックを解除できる。
【００３８】
また、上蓋５の天面にロック機構７の位置を指示する表示（例えばシール）を有する避難装置があるものの、枠２内は暗いため、枠２と上蓋５の間の狭い隙間からロック機構７の位置を正確に知ることは、時として困難である。本実施形態では、環状部材７２が円環状であり従来よりも大きく、しかも、上蓋５の内面から離れているため、ロックを解除するときにユーザの指が環状部材７２に触れやすい。したがって、ユーザは、環状部材７２の位置を容易に知ることができ、このこともまた容易な解除操作に繋がる。
【００３９】
また、ロック機構７のうち（本実施形態の環状部材７２に対応する）上蓋５側の部材が上蓋５に固定されている（つまり固定部材である）と、この固定部材がユーザの指を傷付ける可能性があるが、本実施形態では環状部材７２を可動部材とすることで、ユーザの指を傷付ける可能性を低減させている。
【００４０】
次いで、ロックが解除された状態から再びロック状態に戻るまでの、避難装置１の動作を説明する。
【００４１】
上蓋５を、ロックが解除された位置から、枠２を閉じるように回動させると、図７に示すように環状部材７２がフック７４の傾斜部７４Ａに接触する。上蓋５を更に閉じると、環状部材７２は傾斜部７４Ａを押圧しながら傾斜部７４Ａに沿って滑る。その結果、レバー７１は図８のＶ１方向に揺動し、環状部材７２はＷ１方向に揺動する。また、環状部材７２の揺動に伴って保持部７７が弾性変形し、環状部材７２を元の位置に戻そうとする復元力を生じさせる。
【００４２】
上蓋５を更に閉じると、図９に示すように、環状部材７２はフック７４の傾斜部７４Ａを滑り切り、環状部材７２とレバー７１とは互いに離れる。この状態では、レバー７１は、環状部材７２から力を受けなくなるため、振り子のように元の位置に戻ろうとしてＶ２方向に揺動する。また、環状部材７２は、レバー７１から力を受けなくなり、保持部７７の復元力と自重によってＷ２方向に揺動する。
【００４３】
その結果、環状部材７２がフック７４の下側に入り込み、ロック機構７がロック状態に復帰する。そして、上蓋５を完全に閉じると、図４（Ａ）に示す初期状態に戻る。なお、下蓋６は、上蓋５と連動して閉じることになる。
【００４４】
このように、上蓋５が閉じる際に、レバー７１及び環状部材７２は、互いに離れる方向に揺動した後に、互いに係合する方向に向かって揺動する。また、レバー７１及び環状部材７２の揺動範囲は制限されているとともに、互いに係合する方向に力が作用するため、環状部材７２がフック７４に掛かりやすい。したがって、ユーザが上蓋５を閉じると、上蓋５は確実にロックされることになる。
【００４５】
以上、本発明の代表的な実施形態について説明したが、本発明はこれらに限定されるものではなく、種々の設計変更が可能であり、それらも本発明に含まれる。
例えば、本実施形態では、環状部材７２の断面形状として円形を示したが、例えば楕円形、矩形のような他の形状でもよい。環状部材７２の断面形状を楕円形等とすることで、環状部材７２が保持部７７内で回りにくくなり、環状部材７２の揺動範囲が規制されることになる。また、揺動位置にある環状部材７２は、保持部７７から復元力を得やすくなる。
【符号の説明】
【００４６】
１・・・避難装置、
２・・・枠、
３・・・梯子、
５・・・上蓋、
６・・・下蓋、
７・・・ロック機構、
７１・・・レバー、
７２・・・環状部材。
【図１】
2020025749.tif 000003
【図２】
2020025749.tif 000004
【図３】
2020025749.tif 000005
【図４】
2020025749.tif 000006
【図５】
2020025749.tif 000007
【図６】
2020025749.tif 000008
【図７】
2020025749.tif 000009
【図８】
2020025749.tif 000010
【図９】
2020025749.tif 000011